(57)【特許請求の範囲】
【請求項１】
メインコーンと、ボイスコイルとボビンを有する振動部と、マグネットとヨークを有する静止部と、を備えた動電型スピーカを備え、以下の構成をも備えていることを特徴とする遊技機用音響装置。
（１）前記ボビンは、その外周に巻き回されたボイスコイルが前記メインコーンの背面に位置し、かつ、ボビン前端が前記メインコーンの前面側に所定量突出する様に、前記メインコーンの中心に接着されていること。
（２）前記メインコーンとの間に所定の間隙を保って位置する様に、前記ボビン前端に外へ広がる様に金属製サブコーンが接着されていること。
（３）前記ボイスコイルに電流を流すためのリード線が、前記ボイスコイルとの接続部が正面視において前記金属製サブコーンによって隠れる様に配線されていること。
【請求項２】
さらに、以下の構成をも備えていることを特徴とする請求項１記載の遊技機用音響装置。
（４）前記金属製サブコーンは前記ボビンの前面を塞ぎ、前記メインコーンに沿って広がる円錐形に構成されていること。
【請求項３】
さらに、以下の構成をも備えていることを特徴とする請求項１又は２記載の遊技機用音響装置。
（５）前記メインコーンの背面側には、前記振動部及び静止部を包み込む様に金属製の外装体が備えられていること。
（６）前記金属製の外装体は、前記メインコーンの外側まで広がり、ビス取り付け用の取付孔が形成された前面板を備えていること。
【発明の詳細な説明】
【技術分野】
【０００１】
本発明は、遊技盤に遊技球を発射して遊技が行われる遊技機用音響装置に関するものである。
【背景技術】
【０００２】
特許文献１、２に示す通り、従来のスピーカは、カバーに設けた透音孔の裏側にスピーカを備え、このスピーカはコーン型スピーカが一般的であり、スピーカと配線基板とをリード線により接続してある。スピーカから出力される音は、透音孔から遊技者に音を伝えるようにしている。
【特許文献１】特開平１０−２８７５４号公報
【特許文献２】特開２００３−２３６０８２号公報
【発明の開示】
【発明が解決しようとする課題】
【０００３】
しかしながら、従来の構造のスピーカでは、パチンコ業界でいうゴト師によるゴト行為には無力であった。すなわち、透音孔に針金等を突っ込んで、コーンを針金等で突っついてリード線を切断し、ガラス扉を開放しても、警告音がスピーカから出ないようにすることで、不正行為を行なったいた。これにより、パチンコ業界に甚大な被害が生じている。
【課題を解決するための手段】
【０００４】
そこで、本発明者は、鋭意検討の上、特許請求の範囲に記載の発明をなしたものである。本発明の遊技機用音響装置は、メインコーンと、ボイスコイルとボビンを有する振動部と、マグネットとヨークを有する静止部と、を備えた動電型スピーカを備え、以下の構成をも備えていることを特徴とする。
（１）前記ボビンは、その外周に巻き回されたボイスコイルが前記メインコーンの背面に位置し、かつ、ボビン前端が前記メインコーンの前面側に所定量突出する様に、前記メインコーンの中心に接着されていること。
（２）前記メインコーンとの間に所定の間隙を保って位置する様に、前記ボビン前端に外へ広がる様に金属製サブコーンが接着されていること。
（３）前記ボイスコイルに電流を流すためのリード線が、前記ボイスコイルとの接続部が正面視において前記金属製サブコーンによって隠れる様に配線されていること。
【０００５】
ここで、「ボビン前端がメインコーンの前面側に所定量突出する接着状態」は、後述実施形態の図５〜図７に図示される様に、ボビンの先端より所定量下方の位置でメインコーンと接着することにより実現できる。なお、スピーカの、メインコーンと、振動部と、静止部は、遊技機用の一般的な構造が好ましい。
【０００６】
本発明の遊技機用音響装置は、さらに、以下の構成をも備えるとよい。
（４）前記金属製サブコーンは前記ボビンの前面を塞ぎ、前記メインコーンに沿って広がる円錐形に構成されていること。
【０００７】
また、本発明の遊技機用音響装置は、さらに、以下の構成をも備えることができる。
（５）前記メインコーンの背面側には、前記振動部及び静止部を包み込む様に金属製の外装体が備えられていること。
（６）前記金属製の外装体は、前記メインコーンの外側まで広がり、ビス取り付け用の取付孔が形成された前面板を備えていること。
【０００８】
金属製のサブコーンはメインコーンよりもその直径が小径であることが好ましい。サブコーンは、アルミニウム、チタン合金等が好ましい。サブコーンは円錐形が好ましい。
【０００９】
サブコーンの配置は、正面視で円形、側面視で三角錐が好ましい。正面視で前面がボビンの凹部に配置することが好ましい。
【００１０】
サブコーンの板の厚さは、一般的な厚みでよく、特定の数値には限定されるものではない。例えば、０．０５〜１ｍｍ、０．１〜０．５ｍｍが好ましく、特に、０．１〜０．３ｍｍが好ましい。サブコーンの直径は、メインコーンの直径の適宜の割合で設定すればよく、特定の割合に限定されるものではない。例えば、メインコーンの直径の１０〜９０％、２０〜６０％が好ましく、特に３０〜５０％が好ましい。
【００１１】
ボビンの前面の中央部にサブコーンの中心部を結合させる態様としては、接着、溶着等が好ましい。接着の態様は、接着剤、両面テープ等が好ましい。
【００１２】
サブコーンを、メインコーンの正面側において、メインコーンと予め定めた間隙を置いて、同軸状に配置する。メインコーンとサブコーンとの間隙は、適宜の数値で設定すればよく、特定の数値に限定されるものではないが、例えば、２〜３ｍｍが好ましい。サブコーンとメインコーン平行であることが好ましいが、間隔を可変としてもよい。
【００１３】
サブコーンの中心部がボビンの前面の凹部に接着されることが好ましい。
【００１４】
サブコーンがアルミニウム板から構成されることが好ましい。
【発明の効果】
【００１５】
請求項１の発明によれば、ゴト師が針金でコーンを突付いても、金属製のサブコーンで跳ね返されるので、リード線は切断されずに済み、ゴト師がガラス扉を不正に開いても、警告音が正常にスピーカから発生するので、不正対策の被害を防止することができる。
【発明を実施するための最良の形態】
【００１６】
以下、本発明を適用した遊技機用音響装置１（以下、単に音響装置１という。）の実施形態について図面を参照して説明する。
【００１７】
音響装置１は、図１〜図６に示す通り、メインコーン２と、ボイスコイル３とボビン４を有する振動部５と、マグネット６とヨーク７を有する静止部８と、を備えた動電型スピーカ９と、振動部５の正面側に配置されたＬＥＤ部１０と、を備えたものである。
【００１８】
音響装置１は、メインコーン２よりもその直径が小径であるサブコーン１１を備え、サブコーン１１の中心部１２の背面を、ボビン４の前面部に結合させるとともに、サブコーン１１を、メインコーン２の正面領域において、メインコーン２と予め定めた間隙Ｄを置いて、振動部５の中心軸Ｘに対して同軸状に配置したことを特徴とする。さらに、金属製（例えば、アルミニウム製）の外装体１３と、ボイスコイル３と電気的に接続する配線部１４と、を備えている。さらに多数の貫通孔２０を有するカバー３０が動電型スピーカ９と、ＬＥＤ部１０とを被うように外装体１３の前面に装着されている。以下、本実施形態の詳細を説明する。
【００１９】
メインコーン２は、円形のコーン形状のダイヤフラムであって、中心部の開口にボビン４が位置する一般的なものである。
【００２０】
メインコーン２は、振動部５の上部に支持されている。ボビン４は、円柱形状であって、ボビン４の外周にボイスコイル３が巻き回され、その外周に紙が巻かれたものである。また、ボビン４の前面部に軸方向Ｘの後方に対して凹んだ形状の凹部４０が形成され、この凹部４０にサブコーン１１の中心部１２の背面側が接着されたものである。またボビン４の下端外周縁に円形板で中心孔が形成されたダンパー５０が固定されている。ダンパー５０の外周縁は皿部１３５の内周面に接着されている。
【００２１】
静止部８については周知の構成と同様であるので、説明は省略する。この実施形態ではマグネット６は中心の円柱部にあるが、フェライト磁石を使ったスピーカーでは、外側に付けてあることもある。
【００２２】
図６に示す通り、ＬＥＤ部１０が複数個のＬＥＤ１００が装着されたＬＥＤ基板１０１と、リード線１０２から構成され、ＬＥＤ基板１０１の背面が直接、サブコーン１１の前面側の表面に固定されている。ＬＥＤ基板はフレキシブルなフィルム基板である。ＬＥＤ基板１０１がサブコーン１１に接着剤又は両面テープで接着されている。
【００２３】
サブコーン１１がアルミニウム板から製作されている。中心部１２は円錐形の中心に位置するものである。
【００２４】
外装体１３は、金属製の薄板から構成されたものであり、図１〜図４に示す通り、前面板１３０と、前面板１３０に形成され円形の大径の開口１３１と、前面板１３０に形成されビスを取り付けるための小径の取付孔１３２と、前面板１３０の開口１３１の端縁から後方に相互に側面開口１３３を空けて延び出す複数枚の接続板１３４と、振動部５と、複数の接続板１３４と接続する皿部１３５と、皿部１３５より小径であって皿部１３５から後方に軸方向に突出する、静止部８を内蔵するための後部収容部１３６と、を備えている。外装体１３の内部で且つメインコーン２の背面には、側面開口１３３と連通するバックスペース１３７が拡がっている。
【００２５】
配線部１４は、ボイスコイル３と接着、溶着、ハンダ等によって接続する複数本（図では２本）のリード線１４０と、接続板１３４に固定された端子板１４１と、端子板１４１に固定された複数の端子１４２と、接続板１３４に端子板１４１を固定する固定部１４３と、を備えている。配線部１４からボイスコイル３に電流が供給される。
【００２６】
この遊技機用音響装置１は、遊技機の音制御基板等により制御されるように構成されている。この実施形態においては、図柄が特定配列となって、一般入賞時やボーナス入賞時などの賞球獲得状態又はメダル獲得状態になった場合などにおいて、主制御基板からの指令信号によって音制御基板（図示略）を作動させて効果音を出力するようになっている。
【００２７】
上記のような構成を備えた本実施形態の動作を説明する。まず、弾球遊技機からリード線１４０に電流が供給されると、ボイスコイル３に電流が流れ、これにより、マグネットで発生する磁束が鉄で出来たヨーク７に導かれボイスコイル３の所に強い磁場を作る。ボイスコイル３に流れる電流はこの磁場でローレンツ力を受け、振動部５が振動し、この動きがメインコーン２とサブコーン１１に伝わり周りの空気を振動させ音を放出する。
【００２８】
遊技機の遊技中に、例えば、一般入賞時やボーナス入賞時などの賞球又はメダル獲得状態になった場合、音制御基板（図示略）から出力された音声信号は遊技機用音響装置１に入力され、この音響装置１から効果音等の音声が出力される。それとともに、電飾制御基板（図示略）からの電飾信号がＬＥＤ基板１０１に出力されて、これに応答してＬＥＤ１００が発光する。
【００２９】
本実施形態によれば、ゴト師が針金でコーンを突付いても、金属製のサブコーン１１で跳ね返されるので、リード線１４０は切断されずに済み、ゴト師がガラス扉を不正に開いても、警告音が正常に動電型スピーカ９から発生するので、不正対策の被害を防止することができる。
【実施例】
【００３０】
本実施例は、メインコーン２の厚みが０．３５ｍｍ、直径５５ｍｍ、サブコーン１１がアルミニウム製でその厚さが０．２ｍｍ、直径２５ｍｍ、振動部５の軸方向長さ６ｍｍ、直径１４ｍｍ、静止部８の直径１９ｍｍ、軸方向長さ９ｍｍ、スピーカ９は抵抗８Ω、出力１０Ｗである。
【００３１】
なお、本発明は、上述の実施の形態に限定されるものではなく、本発明の技術的思想を逸脱しない範囲において、改変等を加えることが出来るものであり、それらの改変、均等物等も本発明の技術的範囲に含まれることとなる。例えば、音響装置１は円筒形に限らず、楕円、角形等でもよい。また、サブコーン１１の形状、構造、配置等も発明の趣旨を逸脱しない範囲で適宜設定できる。ＬＥＤ部１０の形状や構造も一例を示したもので、適宜、変形できる。振動部５も適宜変更でき、例えば、図７に示す通り、ボビン４の径を前述実施形態よりも細径にしたものでよい。ＬＥＤ部１０は電飾のため設けたが、これをなくした構造でもよいことは無論である。
【図面の簡単な説明】
【００３２】
【図１】本発明実施形態の遊技機用音響装置（ＬＥＤ部を除く。）の斜視図である。
【図２】同装置の正面図である。
【図３】（ａ）は同装置の平面図、（ｂ）は同左側面図、（ｃ）は同底面図である。
【図４】同装置の背面図である。
【図５】同装置の内部構造を示す中央縦断面図である。
【図６】（ａ）は本発明実施形態の遊技機用音響装置の上部の中央縦断面図、（ｂ）は同平面図である。
【図７】本実施形態の遊技機用音響装置（ＬＥＤ部を除く。）の変形例を示す中央縦断面図である。
【符号の説明】
【００３３】
１・・・遊技機用音響装置 ２・・・メインコーン ３・・・ボイスコイル
４・・・ボビン ４０・・・凹部 ５・・・振動部 ６・・・マグネット
７・・・ヨーク ８・・・静止部 ９・・・動電型スピーカ １０・・・ＬＥＤ部
１００・・・ＬＥＤ １０１・・・ＬＥＤ基板 １１・・・サブコーン
１２・・・中心部 Ｄ・・・間隙 Ｘ・・・中心軸 １３・・・外装体
１３０・・・前面板 １３１・・・開口 １３２・・・取付孔 １３３・・・側面開口
１３４・・・接続板 １３５・・・皿部 １３６・・・後部収容部
１４・・・配線部 １４０・・・リード線 １４１・・・端子板 １４２・・・端子
１４３・・・固定部 ２０・・・貫通孔 ３０・・・カバー
【図１】
0005273969.tif 000002
【図２】
0005273969.tif 000003
【図３】
0005273969.tif 000004
【図４】
0005273969.tif 000005
【図５】
0005273969.tif 000006
【図６】
0005273969.tif 000007
【図７】
0005273969.tif 000008